【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
複数のセンサ電極と、
前記複数のセンサ電極と統合されているディスプレイ装置と、
前記複数のセンサ電極に及び前記ディスプレイ装置に動作的に結合されている処理システムであって、
第１の表示リフレッシュレートで前記ディスプレイ装置を更新し、且つ第１の表示フレーム中、第１の容量性感知フレームレートで容量性感知のために前記センサ電極を駆動するための第１のモードであり、前記第１の容量性感知フレームレートが前記第１の表示リフレッシュレートより大きい、第１のモードで動作し、さらに
第２の表示リフレッシュレートで前記ディスプレイ装置を更新し、且つ第２の表示フレーム中、第２の容量性感知フレームレートで容量性感知のために前記センサ電極を駆動するための第２のモードであり、前記第２の容量性感知フレームレートが前記第２の表示リフレッシュレートより大きく、前記第１の表示リフレッシュレート及び前記第２の表示リフレッシュレートが第１の量だけ異なり、前記第１の容量性感知フレームレート及び前記第２の容量性感知フレームレートが第２の量だけ異なり、前記第２の量が前記第１の量より小さい、第２のモードで動作するように構成されている処理システムと、
を備える、入力装置。
【請求項２】
前記処理システムが、動作の前記第２のモード中に、
長い水平帰線期間中、容量性感知のために前記複数のセンサ電極のうちの少なくとも１つを駆動し、前記長い水平帰線期間が少なくとも１つの同期遅延線／期間を含むように更に構成されている、請求項１に記載の入力装置。
【請求項３】
前記処理システムが、動作の前記第２のモード中に、
第２の表示更新間隔中、表示データで第２のソースラインを駆動し、タッチ感知間隔が第１の表示更新間隔と前記第２の表示更新間隔との間であるように更に構成されている、請求項２に記載の入力装置。
【請求項４】
前記処理システムが、動作の前記第２のモード中に、
単一の表示更新フレームの部分間の非表示更新期間中、前記複数のセンサ電極のうちの少なくとも１つを駆動するように更に構成されている、請求項２又は３に記載の入力装置。
【請求項５】
前記処理システムが、第２の表示更新期間中且つ動作の前記第２のモード中に、
前記ソースラインの全てを表示データで駆動した後に前記同期遅延を挿入するように更に構成されている、請求項２乃至４のいずれか一項に記載の入力装置。
【請求項６】
前記処理システムが、表示更新期間中且つ動作の前記第２のモード中に、
単一の表示更新サイクル内で表示データで第２のソースラインを駆動する前に前記同期遅延を挿入するように更に構成されている、請求項２乃至５のいずれか一項に記載の入力装置。
【請求項７】
前記処理システムが、動作の前記第２のモード中に、
バッファで完全な組のラインリフレッシュデータが利用可能であることに応答してラインリフレッシュデータでソースラインを駆動し、さらに
前記バッファで完全な組のラインリフレッシュデータが利用可能でないことに応答して同期遅延を挿入するように更に構成されている、請求項１に記載の入力装置。
【請求項８】
前記処理システムが、表示更新期間中且つ動作の前記第２のモード中に、
第１の表示更新間隔中、表示データで第１のソースラインを駆動し、
第２の表示更新間隔中、表示データで第２のソースラインを駆動し、
同期遅延で前記第２のソースラインを駆動し、前記第２のソースラインが同期遅延で駆動される時間の長さが、前記容量性感知のフレームレポートレートを動作の前記第１のモード及び第２のモードの間、実質的に一定に維持するように選択されており、さらに
前記第２の表示更新間隔後且つ単一の表示更新フレームの部分間の非表示更新期間中、前記複数のセンサ電極のうちの少なくとも１つを駆動するように更に構成されている、請求項１に記載の入力装置。
【請求項９】
前記処理システムが、
表示更新期間中に前記ディスプレイ装置をリフレッシュするために、さらに非表示更新期間中に容量性感知のために、前記複数のセンサ電極を駆動するように更に構成されている、請求項１に記載の入力装置。
【請求項１０】
前記ディスプレイ装置が、
容量性感知のために前記センサ電極を駆動するように構成されている複数のソースドライバと、
単一のワイヤを通して各ソースドライバに結合されているタッチコントローラであって、前記ワイヤを通して表示及びタッチデータを通信するように構成されているタッチコントローラと、
を備えている、請求項１に記載の入力装置。
【請求項１１】
処理システムであり、
容量性感知のために非表示更新期間中、複数のセンサ電極を動作させるように構成されているセンサモジュールであって、
第１の動作モードで、第１の表示更新期間中、第１の容量性感知フレームレポートレートを伴った状態で、第１の表示リフレッシュレートでディスプレイ装置を更新し、
さらに
第２の動作モードで、第２の表示更新期間中、第２の容量性感知フレームレポートレートを伴った状態で、第２の表示リフレッシュレートで前記ディスプレイ装置を更新し、
前記第１の表示リフレッシュレート及び前記第２の表示リフレッシュレートが異なり、且つ前記第１の容量性感知フレームレポートレート及び前記第２の容量性感知フレームレポートレートが、前記第１及び第２の表示更新期間の少なくとも半分の間ほとんど等しい、
ように構成されているセンサ回路網を有するセンサモジュールを備える、処理システム。
【請求項１２】
前記センサ回路網が、前記第２の動作モード中に、
第１の表示更新間隔中、表示データで第１のソースラインを駆動し、
タッチ感知間隔中、前記複数のセンサ電極のうちの少なくとも１つを駆動し、さらに
前記第１の表示更新間隔と前記タッチ感知間隔との間に同期遅延を挿入し、前記同期遅延の長さが、容量性感知フレームレポートレートを前記第１の動作モードの前記容量性感知フレームレポートレートに対して実質的に一定に維持するように選択されている、
ように更に構成されている、請求項１１に記載の処理システム。
【請求項１３】
前記センサ回路網が、前記第２の動作モード中に、
第２の表示更新間隔中、表示データで第２のソースラインを駆動し、前記タッチ感知間隔が前記第１の表示更新間隔と前記第２の表示更新間隔との間である、
ように更に構成されている、請求項１２に記載の処理システム。
【請求項１４】
前記センサ回路網が、前記第２の動作モード中に、
単一の表示更新フレームの部分間の非表示更新期間中、前記複数のセンサ電極のうちの少なくとも１つを駆動する
ように更に構成されている、請求項１１乃至１３のいずれか一項に記載の処理システム。
【請求項１５】
前記センサ回路網が、前記第２の表示更新期間中且つ前記第２の動作モード中に、
第１の表示更新間隔中、表示データで第１のソースラインを駆動し、
第２の表示更新間隔中、表示データで第２のソースラインを駆動し、
同期遅延で前記第２のソースラインを駆動し、前記同期遅延の長さが、前記容量性感知フレームレポートレートを前記第１の動作モード及び第２の動作モードの間、実質的に一定に維持するように選択されており、さらに
前記第２の表示更新間隔後且つ単一の表示更新フレームの部分間の非表示更新期間中、前記複数のセンサ電極のうちの少なくとも１つを駆動する
ように更に構成されている、請求項１４に記載の処理システム。
【請求項１６】
入力装置を動作させるための方法であって、
容量性感知のために非表示更新期間中、複数のセンサ電極を動作させるステップと、
第１の動作モードで、第１の表示更新期間中、第１の容量性感知フレームレポートレートを伴った状態で、第１の表示リフレッシュレートでディスプレイ装置を更新するステップと、
第２の動作モードで、第２の表示更新期間中、第２の容量性感知フレームレポートレートを伴った状態で、第２の表示リフレッシュレートで前記ディスプレイ装置を更新するステップであり、前記第１の表示リフレッシュレート及び前記第２の表示リフレッシュレートが異なり、且つ前記第１の容量性感知フレームレポートレート及び前記第２の容量性感知フレームレポートレートが、前記第１及び第２の表示更新期間の少なくとも半分の間ほとんど等しいステップと、
を含む、方法。